(57)【要約】【課題】支柱上に受具を簡単に形成でき、支柱の１箇所に荷重が集中することを回避でき、しかも足場板の交差部分に段差が形成されることのない建築用足場を提供する。【解決手段】地面上に設けられた複数の支柱２によって支持されて支柱２と交差する方向に延在する足場板３を有し、支柱２の外周面上に設けられた第１受具４と、支柱２の軸線Ｘ０方向で受具４より地面に近い位置で、且つ軸線Ｘ０周りで受具４と異なる角度位置の支柱２の外周面上に設けられた第２受具５と、足場板３の第１面Ｓ１上に設けられて受具４に連結する第１連結具１２と、足場板３の第２面Ｓ２上に設けられて受具５に連結する第２連結具１３とを有する建築用足場である。連結具１２が受具４の穴６に嵌合した状態で受具４の縁線Ｐ１と第２面Ｓ２の間の距離をＤ１とし、連結具１３が受具５の穴７に嵌合した状態で受具５の縁線Ｐ２と第１面Ｓ１の間の距離をＤ２としたとき、Ｄ１＜Ｄ２である。【選択図】図４
0003133919.tif 000002
【実用新案登録請求の範囲】
【請求項１】
基面上に立てて設けられる複数の支柱と、該複数の支柱によって支持されて該支柱と交差する方向に延在する足場板とを有する建築用足場において、
前記支柱の外周面上に設けられ、第１の穴を有する第１受具と、
前記支柱の軸線方向で前記第１受具よりも前記基面に近い位置であって、且つ当該軸線周りで前記第１受具と異なる角度位置のところの、前記支柱の外周面上に設けられ、第２の穴を有する第２受具と、
前記足場板の一方の面である第１面側に設けられており前記第１受具に連結する第１連結具と、
前記足場板の前記第１面と反対側の面である第２面側に設けられており前記第２受具に連結する第２連結具と、を有し、
前記第１の穴及び前記第２の穴は前記支柱の軸線に対して傾斜する側面を有し、
前記第１連結具は当該第１連結具の側面と前記第１の穴の側面とが接触することにより
当該第１の穴に嵌合し、
前記第２連結具は当該第２連結具の側面と前記第２の穴の側面とが接触することにより当該第２の穴に嵌合し、
前記第１連結具が前記第１の穴に嵌合した状態で、該第１の穴の前記足場板側の開口の縁線と、前記足場板の第２面側の足を乗せる面との間の距離をＤ１とし、
前記第２連結具が前記第２の穴に嵌合した状態で、該第２の穴の前記足場板側の開口の縁線と、前記足場板の第１面側の足を乗せる面との間の距離をＤ２としたとき、
Ｄ１＜Ｄ２
であることを特徴とする建築用足場。
【請求項２】
請求項１記載の建築用足場において、前記第１連結具及び前記第２連結具は前記足場板の足を乗せる面に直角の方向の断面における形状が互いに相似する三角形状を有しており、
前記足場板の第１面における前記第１連結具の幅と前記足場板の第２面における前記第２連結具の幅とは互いに異なっており、
前記第１の穴の前記足場板側の開口の幅と前記第２の穴の前記足場板側の開口の幅とは互いに等しくなっており、
前記足場板の第１面に直角な線に対する前記第１連結具の側面の傾斜角度をα１とし、前記支柱の軸線に対する前記第１の穴の側面の傾斜角度をβ１としたとき
α１＝β１
であり、
前記足場板の第２面に直角な線に対する前記第２連結具の側面の傾斜角度をα２とし、前記支柱の軸線に対する前記第２の穴の側面の傾斜角度をβ２としたとき、
α２＝β２
であることを特徴とする建築用足場。
【請求項３】
基面上に立てて設けられる複数の支柱と、該複数の支柱によって支持されて該支柱と交差する方向に延在する足場板とを有する建築用足場において、
前記支柱の外周面上に設けられ、第１の穴を有する第１受具と、
前記支柱の軸線方向で前記第１受具よりも前記基面に近い位置であって、且つ当該軸線周りで前記第１受具と異なる角度位置のところの、前記支柱の外周面上に設けられ、第２の穴を有する第２受具と、
前記足場板の一方の面である第１面側に設けられており前記第１受具に連結する第１連結具と、
前記足場板の前記第１面と反対側の面である第２面側に設けられており前記第２受具に連結する第２連結具と、を有し、
前記第１の穴及び前記第２の穴は前記支柱の軸線に対して平行な側面を有し、
前記第１連結具は、当該第１連結具の側面と前記第１の穴の前記足場板側の開口の縁線とが接触することにより当該第１の穴に嵌合し、
前記第２連結具は、当該第２連結具の側面と前記第２の穴の前記足場板側の開口の縁線とが接触することにより当該第２の穴に嵌合し、
前記第１連結具が前記第１の穴に嵌合した状態で、該第１の穴の前記足場板側の開口の縁線と、前記足場板の第２面側の足を乗せる面との間の距離をＤ１とし、
前記第２連結具が前記第２の穴に嵌合した状態で、該第２の穴の前記足場板側の開口の縁線と、前記足場板の第１面側の足を乗せる面との間の距離をＤ２としたとき、
Ｄ１＜Ｄ２
であることを特徴とする建築用足場。
【請求項４】
請求項３記載の建築用足場において、前記第１連結具及び前記第２連結具は前記足場板の足を乗せる面に直角の方向の断面における形状が互いに相似する三角形状を有しており、
前記足場板の第１面における前記第１連結具の幅と前記足場板の第２面における前記第２連結具の幅とは互いに異なっており、
前記第１の穴の前記足場板側の開口の幅と前記第２の穴の前記足場板側の開口の幅とは互いに等しくなっている
ことを特徴とする建築用足場。
【請求項５】
基面上に立てて設けられる複数の支柱と、該複数の支柱によって支持されて該支柱と交差する方向に延在する足場板とを有する建築用足場において、
前記支柱の外周面上に設けられ、前記支柱の軸線に直角な受面を有する第１受具と、
前記支柱の軸線方向で前記第１受具よりも前記基面に近い位置であって、且つ当該軸線周りで前記第１受具と異なる角度位置のところの、前記支柱の外周面上に設けられ、前記支柱の軸線に直角な受面を有する第２受具と、
前記足場板の一方の面である第１面側に設けられており該第１面に平行な被受面を有する第１連結具と、
前記足場板の前記第１面と反対側の面である第２面側に設けられており該第２面に平行な被受面を有する第２連結具と、を有し、
前記第１連結具は、前記第１受具の受面に前記第１連結具の被受面が載ることにより支持され、
前記第２連結具は、前記第２受具の受面に前記第２連結具の被受面が載ることにより支持され、
前記第１連結具が前記第１受具に支持された状態で、前記第１受具の受面と、前記足場板の第２面側の足を乗せる面との間の距離をＤ１とし、
前記第２連結具が前記第２受具に支持された状態で、前記第２受具の受面と、前記足場板の第１面側の足を乗せる面との間の距離をＤ２としたとき、
Ｄ１＜Ｄ２
であることを特徴とする建築用足場。
【請求項６】
請求項５記載の建築用足場において、
前記第１受具は前記支柱の軸線に沿って延びる第１貫通穴を有し、該第１貫通穴の形状は前記支柱の軸線方向で一定であり、
前記第１連結具は前記被受面から突出する第１突起部を有し、該第１突起部は前記第１連結具が前記第１受具に支持された状態で前記第１貫通穴に入り、
前記第２受具は前記支柱の軸線に沿って延びる第２貫通穴を有し、該第２貫通穴の形状は前記支柱の軸線方向で一定であり、
前記第２連結具は前記被受面から突出する第２突起部を有し、該第２突起部は前記第２連結具が前記第２受具に支持された状態で前記第２貫通穴に入っている
ことを特徴とする建築用足場。
【請求項７】
請求項１から請求項６のいずれか１つに記載の建築用足場において、前記第１受具に取り付けられた前記足場板の第２面側の足を乗せる面と前記支柱の前記基面側の端面との間の距離をＤ３とし、前記第２受具に取り付けられた前記足場板の第１面側の足を乗せる面と前記支柱の前記基面側の端面との間の距離をＤ４としたとき、
Ｄ３＝Ｄ４
であることを特徴とする建築用足場。
【請求項８】
請求項１から請求項７記載のいずれか１つに記載の建築用足場において、前記第１受具と前記第２受具は前記支柱の軸線周りで９０°の角度間隔で配置されていることを特徴とする建築用足場。
【請求項９】
請求項１から請求項８のいずれか１つに記載の建築用足場において、前記第１受具及び前記第２受具は、それぞれ、前記支柱の軸線周りで１８０°の対称位置に２個設けられていることを特徴とする建築用足場。
【請求項１０】
請求項１から請求項９のいずれか１つに記載の建築用足場において、前記足場板は、枠体と、該枠体の第１面側に設けられた網状の第１足踏み板と、前記枠体の前記第１面の反対側の面である第２面側に設けられた網状の第２足踏み板とを有し、前記足場板の第１面側の足を乗せる面は前記第１足踏み板のうちの前記枠体と反対側の面によって構成され、前記足場板の第２面側の足を乗せる面は前記第２足踏み板のうちの前記枠体と反対側の面によって構成されることを特徴とする建築用足場。
【考案の詳細な説明】
【技術分野】
【０００１】
本考案は、建築現場で用いられる足場、すなわち建築用足場に関する。
【背景技術】
【０００２】
建築現場で用いられる足場として鋼管足場が知られている。鋼管足場には、単管足場と枠組足場とがある。単管足場は、建築現場において鋼管（いわゆるパイプ）を組立てて形成される足場である。この単管足場は、鋼管を支柱（いわゆる建地）や支柱間を繋ぐ軸部材（いわゆる腕木又は布）として用い、それらの鋼管を継手金具や緊結金具等を用いて組立て、さらに、軸部材間に足場板を架設することにより形成される。一方、枠組足場は、鋼管から成る支柱や軸部材を工場においてあらかじめ一定の枠状部材（いわゆる建枠）に加工し、その枠状部材と、交差筋交いと、足場板とを、建築現場において、挿しこみや引掛け程度の簡単な作業で組立てる足場である。
【０００３】
従来、鋼管足場に属する建築用足場として特許文献１に開示されたものが知られている。この建築用足場においては、基面である地面上に垂直に立てられた支柱の外周面上にブラケットと称される棒状部材が当該支柱に対して交差する方向に設けられ、足場板がこのブラケットに引掛けられて支持されている。この建築用足場においては、建物の１つの壁に沿って設置された足場板と、それに直交して設置された別の足場板とが、建物の角部において平面的に見て交差して設置されており、そのため、両足場板間に段差が形成されている。そして、その段差を解消するために、当該段差部を段差用ステップ板で覆うことにしている。
【０００４】
また、従来、建物の１つの壁に沿って設置された足場板と、建物の他の壁に沿って設置された別の足場板とが、建物の角部において段差を形成しないように構成された建築用足場が、例えば特許文献２に開示されている。この建築用足場においては、支柱としての柱材の外周面上であって足場板である布枠を支持する箇所に、環状の開口を有する受具を設けている。そして、布枠の適所に連結具を設け、連結具を受具に嵌入させた状態で、柱材によって布枠を支持している。この建築用足場によれば、互いに交差する関係にある複数の布枠を１つの受具内の異なる角度位置の所で支持するので、複数の布枠間に段差が形成されない構成となっている。
【０００５】
【特許文献１】特開２００３−１７２０２３号公報（第２頁、図１）
【特許文献２】登録実用新案第３０４４０７７号公報（第８〜１０頁、図１）
【考案の開示】
【考案が解決しようとする課題】
【０００６】
しかしながら、特許文献１に開示された足場においては、段差用ステップ板を用いることにより、互いに交差する足場板間に形成された段差を緩和することができるものの、根本的には段差は解消されておらず、しかも段差用ステップ板を付加的に用いなければならないので、足場の構造が複雑であり、足場の構築作業が面倒であり、足場のコストが高いという問題がある。
【０００７】
また、特許文献２に開示された足場においては、柱材の１箇所に設けた１つの受具に複数の足場板の荷重が集中的に加わるので、受具を頑丈に作製しなければならず、そのため、柱材の作製が難しいという問題があった。
【０００８】
本考案は、上記の問題点に鑑みて成されたものであって、支柱上に受具を簡単に形成でき、支柱の１箇所に荷重が集中することを回避でき、しかも足場板の交差部分に段差が形成されることのない建築用足場を提供することを目的とする。
【課題を解決するための手段】
【０００９】
本考案に係る第１の建築用足場は、基面上に立てて設けられる複数の支柱と、該複数の支柱によって支持されて該支柱と交差する方向に延在する足場板とを有する建築用足場において、（１）前記支柱の外周面上に設けられ第１の穴を有する第１受具と、（２）前記支柱の軸線方向で前記第１受具よりも前記基面に近い位置であって、且つ当該軸線周りで前記第１受具と異なる角度位置のところの、前記支柱の外周面上に設けられ、第２の穴を有する第２受具と、（３）前記足場板の一方の面である第１面側に設けられており前記第１受具に連結する第１連結具と、（４）前記足場板の前記第１面と反対側の面である第２面側に設けられており前記第２受具に連結する第２連結具とを有する。この建築用足場において、前記第１の穴及び前記第２の穴は前記支柱の軸線に対して傾斜する側面を有し、前記第１連結具は当該第１連結具の側面と前記第１の穴の側面とが接触することにより当該第１の穴に嵌合し、前記第２連結具は当該第２連結具の側面と前記第２の穴の側面とが接触することにより当該第２の穴に嵌合し、前記第１連結具が前記第１の穴に嵌合した状態で、該第１の穴の前記足場板側の開口の縁線と前記足場板の第２面側の足を乗せる面との間の距離をＤ１とし、前記第２連結具が前記第２の穴に嵌合した状態で、該第２の穴の前記足場板側の開口の縁線と前記足場板の第１面側の足を乗せる面との間の距離をＤ２としたとき、
Ｄ１＜Ｄ２
であることを特徴とする。
【００１０】
本考案の第１の建築用足場において、基面は、複数の支柱が設置される面のことであり、足場の基礎となる面である。この基面としては、例えば地面、建物の床面等が考えられる。また、足場板の足を乗せる面は、足場において作業者が乗って移動や作業等を行う面のことである。また、縁線とは、第１の穴及び第２の穴の端部の縁が描く線のことであり、第１の穴の開口及び第２の穴の開口の１つの辺のことである。第１の穴及び第２の穴は、第１受具及び第２受具を貫通する貫通穴であることもあるし、有底の穴であることもある。
【００１１】
第１受具に形成された第１の穴は、第１連結具が差し込まれる穴である。第１の穴に第１連結具が差し込まれた状態で、第１の穴の側面と第１連結具の側面とが接触することにより第１連結具が第１の穴に嵌合して、第１連結具が第１受具に連結される。これにより、足場板が支柱に支持される。このように第１連結具が第１受具に連結された状態では、第１受具が取り付けられた足場板の第１面が基面に対向し、その反対側である第２面側が足を乗せる面を含む側となる。
【００１２】
一方、第２受具に形成された第２の穴は、第２連結具が差し込まれる穴である。第２の穴に第２連結具が差し込まれた状態で、第２の穴の側面と第２連結具の側面とが接触することにより第２連結具が第２の穴に嵌合して、第２連結具が第２受具に連結される。これにより、足場板が支柱に支持される。このように第２連結具が第２受具に連結された状態では、第２受具が取り付けられた足場板の第２面が基面に対向し、その反対側である第１面側が足を乗せる面を含む側となる。
【００１３】
上記構成の建築用足場では、足場板の第１面側に第１連結具を設けて第２面側に第２連結具を設けたので、第１受具に足場板を連結する構成と第２受具に足場板を連結する構成とは、足場板の表裏を反転させるという簡単な作業によって実現できる。すなわち、支柱の軸線方向の高さ位置及び軸線周りの角度位置が異なる第１受具と第２受具に対して共通の足場板を用いて足場を構成できるので、部品の種類を増やすことなく簡単な構成の足場を形成できる。
【００１４】
上記構成の建築用足場において、第２受具は、第１受具に比べて支柱の軸線方向で基面に近い位置（すなわち低い位置）に設けられている。そして、第１連結具が第１受具に連結した状態で、第１の穴の足場板側の開口の縁線と足場板の第２面側の足を乗せる面との間の距離をＤ１とし、第２連結具が第２受具に連結した状態で、第２の穴の足場板側の開口の縁線と足場板の第１面側の足を乗せる面との間の距離をＤ２としたとき、Ｄ１＜Ｄ２となるように構成されている。以上の結果、支柱の基面側の端面から足を乗せる面までの距離を、第１受具によって支持された足場板と第２受具によって支持された足場板との間で合わせることができる。その結果、互いに隣接する足場板同士の間で段差が形成されることを防止できる。
【００１５】
また、本考案の建築用足場では、支柱の外周面上の異なる角度位置に第１受具と第２受具を設け、その第１受具に第１連結具を連結し、その第２受具に第２連結具を連結する構成としている。こうすれば、個々の第１受具及び第２受具には、１つの足場板のみが支持されることになるので、１つの受具に複数の足場板分の荷重が集中することがなくなる。また、第１受具と第２受具とを支柱の軸線方向において異なる位置に配設したので、支柱の高さ方向の１箇所に荷重が集中することを防止できる。それらの結果、受具それ自体を耐荷重性の高い頑丈な構造でない簡単な構造とすることができ、しかも、受具の支柱に対する固着構造も必要以上に頑丈にしなくて良い。こうして、支柱の構造を単純化して支柱を容易に製作できる。
【００１６】
次に、本考案に係る第１の建築用足場において、前記第１連結具及び前記第２連結具は前記足場板の足を乗せる面に直角の方向の断面における形状が互いに相似する三角形状を有しており、前記足場板の第１面における前記第１連結具の幅と前記足場板の第２面における前記第２連結具の幅とは互いに異なっており、前記第１の穴の前記足場板側の開口の幅と前記第２の穴の前記足場板側の開口の幅とは互いに等しくなっており、前記足場板の第１面に直角な線に対する前記第１連結具の側面の傾斜角度をα１とし、前記支柱の軸線に対する前記第１の穴の側面の傾斜角度をβ１としたとき
α１＝β１
であり、前記足場板の第２面に直角な線に対する前記第２連結具の側面の傾斜角度をα２とし、前記支柱の軸線に対する前記第２の穴の側面の傾斜角度をβ２としたとき、
α２＝β２
であることが望ましい。ここで、α１＝β１、α２＝β２は実用上支障のない程度の角度誤差を含むものである。
【００１７】
本構成の建築用足場では、第１連結具及び第２連結具を互いに相似する三角形状に形成し、第１連結具の足場板の第１面における幅と、第２連結具の足場板の第２面における幅とが互いに異なっている。従って、第１連結具と第２連結具との間で、高さ方向の所定位置における幅が異なる構成となっている。すなわち、第１連結具と第２連結具とは、互いに同じ幅となる高さ方向の位置が異なっている。また、第１の穴の足場板側の開口の幅と第２の穴の足場板側の開口の幅とは互いに等しい幅に設定されている。
【００１８】
この建築用足場によれば、第１の穴に第１連結具を差し込んだ場合における第１受具の足場板側の開口の縁線と足場板の第２面側の足を乗せる面との間の距離Ｄ１と、第２の穴に第２連結具を差し込んだ場合における第２受具の足場板側の開口の縁線と足場板の第１面側の足を乗せる面との間の距離Ｄ２とが異なる構成を実現できる。例えば、第１面における第１連結具の幅を第２面における第２連結具の幅に比べて狭くすることにより、第１受具の足場板側の開口の縁線と足場板の足を乗せる面との間の距離Ｄ１と第２受具の足場板側の開口の縁線と足場板の足を乗せる面との間の距離Ｄ２との関係をＤ１＜Ｄ２に容易に設定できる。
【００１９】
また、足場板の第１面に直角な線に対する第１連結具の側面の傾斜角度α１と支柱の軸線に対する第１の穴の側面の傾斜角度β１とをα１＝β１の関係に設定し、足場板の第２面に直角な線に対する第２連結具の側面の傾斜角度α２と支柱の軸線に対する第２の穴の側面の傾斜角度β２とをα２＝β２の関係に設定した。これにより、第１連結具が第１受具に連結した状態で、第１連結具の側面と第１の穴の側面とが面状に接触することができる。また、第２連結具が第２受具に連結した状態で、第２連結具の側面と第２の穴の側面とが面状に接触することができる。その結果、足場板を支柱によって安定して支持することができる。
【００２０】
次に、本考案に係る第２の建築用足場は、基面上に立てて設けられる複数の支柱と、該複数の支柱によって支持されて該支柱と交差する方向に延在する足場板とを有する建築用足場において、（１）前記支柱の外周面上に設けられ、第１の穴を有する第１受具と、（２）前記支柱の軸線方向で前記第１受具よりも前記基面に近い位置であって、且つ当該軸線周りで前記第１受具と異なる角度位置のところの、前記支柱の外周面上に設けられ、第２の穴を有する第２受具と、（３）前記足場板の一方の面である第１面側に設けられており前記第１受具に連結する第１連結具と、（４）前記足場板の前記第１面と反対側の面である第２面側に設けられており前記第２受具に連結する第２連結具とを有する。この建築用足場において、前記第１の穴及び前記第２の穴は前記支柱の軸線に対して平行な側面を有し、前記第１連結具は、当該第１連結具の側面と前記第１の穴の前記足場板側の開口の縁線とが接触することにより当該第１の穴に嵌合し、前記第２連結具は、当該第２連結具の側面と前記第２の穴の前記足場板側の開口の縁線とが接触することにより当該第２の穴に嵌合し、前記第１連結具が前記第１の穴に嵌合した状態で、該第１の穴の前記足場板側の開口の縁線と、前記足場板の第２面側の足を乗せる面との間の距離をＤ１とし、前記第２連結具が前記第２の穴に嵌合した状態で、該第２の穴の前記足場板側の開口の縁線と、前記足場板の第１面側の足を乗せる面との間の距離をＤ２としたとき、
Ｄ１＜Ｄ２
であることを特徴とする。
【００２１】
本考案に係る第２の建築用足場では、第１の穴に第１連結具が差し込まれた状態で、第１連結具の側面と第１の穴の足場板側の開口の縁線とが接触することにより、第１連結具が第１の穴に嵌合して第１連結具が第１受具に連結される。一方、第２の穴に第２連結具が差し込まれた状態で、第２連結具の側面と第２の穴の足場板側の開口の縁線とが接触することにより、第２連結具が第２の穴に嵌合して第２連結具が第２受具に連結される。このように、第１連結具を第１受具に連結するか、又は第２連結具を第２受具に連結することにより、足場板が支柱に支持される。
【００２２】
本考案の第２の建築用足場においても、第１連結具が第１受具に連結した状態で、第１の穴の足場板側の開口の縁線と足場板の第２面側の足を乗せる面との間の距離をＤ１とし、第２連結具が第２受具に連結した状態で、第２の穴の足場板側の開口の縁線と足場板の第１面側の足を乗せる面との間の距離をＤ２としたとき、Ｄ１＜Ｄ２となるように設定されている。そのため、支柱の基面側の端面から足を乗せる面までの距離を、第１受具によって支持された足場板と第２受具によって支持された足場板との間で合わせることができる。その結果、互いに隣接する足場板同士の間で段差が形成されることを防止できる。
【００２３】
また、上記第２の建築用足場では、支柱の外周面上の異なる角度位置に第１受具と第２受具を設け、その第１受具に第１連結具を連結し、その第２受具に第２連結具を連結する構成としている。こうすれば、個々の第１受具及び第２受具には、１つの足場板のみが支持されることになるので、１つの受具に複数の足場板分の荷重が集中することがなくなる。また、第１受具と第２受具とを支柱の軸線方向において異なる位置に配設したので、支柱の高さ方向の１箇所に荷重が集中することを防止できる。それらの結果、受具それ自体を耐荷重性の高い頑丈な構造でない簡単な構造とすることができ、しかも、受具の支柱に対する固着構造も必要以上に頑丈にしなくて良い。こうして、支柱の構造を単純化して支柱を容易に製作できる。
【００２４】
また、上記第２の建築用足場において、第１連結具は、当該第１連結具の側面と第１の穴の足場板側の開口の縁線とが接触することにより第１の穴に嵌合し、第２連結具は、当該第２連結具の側面と第２の穴の足場板側の開口の縁線とが接触することにより第２の穴に嵌合する構成とした。こうすれば、第１連結具及び第２連結具は特定の形状、例えば三角形状に限られず、四角形状、半円形状、棒形状等、種々の形状のものを用いることができる。また、第１の穴及び第２の穴の形状は、連結具の形状に合わせなくてもよいので、それらの第１の穴及び第２の穴を容易に作製できる。
【００２５】
次に、本考案に係る第２の建築用足場において、前記第１連結具及び前記第２連結具は前記足場板の足を乗せる面に直角の方向の断面における形状が互いに相似する三角形状を有しており、前記足場板の第１面における前記第１連結具の幅と前記足場板の第２面における前記第２連結具の幅とは互いに異なっており、前記第１の穴の前記足場板側の開口の幅と前記第２の穴の前記足場板側の開口の幅とは互いに等しくなっていることが望ましい。
【００２６】
本構成の建築用足場では、第１連結具及び第２連結具を互いに相似する三角形状に形成し、第１連結具の足場板の第１面における幅と、第２連結具の足場板の第２面における幅とを互いに異ならせている。従って、第１連結具と第２連結具との間で、高さ方向の所定位置における幅が異なる構成となっている。すなわち、第１連結具と第２連結具とは、互いに同じ幅となる高さ方向の位置が異なっている。また、第１の穴の足場板側の開口の幅と第２の穴の足場板側の開口の幅とは互いに等しい幅に設定されている。
【００２７】
この建築用足場によれば、第１の穴に第１連結具を差し込んだ場合における第１受具の足場板側の開口の縁線と足場板の第２面側の足を乗せる面との間の距離Ｄ１と、第２の穴に第２連結具を差し込んだ場合における第２受具の足場板側の開口の縁線と足場板の第１面側の足を乗せる面との間の距離Ｄ２とが異なる構成を実現できる。例えば、第１面における第１連結具の幅を第２面における第２連結具の幅に比べて狭くすることにより、第１受具の足場板側の開口の縁線と足場板の第２面側の足を乗せる面との間の距離Ｄ１と第２受具の足場板側の開口の縁線と足場板の第１面側の足を乗せる面との間の距離Ｄ２との関係をＤ１＜Ｄ２に容易に設定できる。
【００２８】
次に、本考案に係る第３の建築用足場は、基面上に立てて設けられる複数の支柱と、該複数の支柱によって支持されて該支柱と交差する方向に延在する足場板とを有する建築用足場において、（１）前記支柱の外周面上に設けられ、前記支柱の軸線に直角な受面を有する第１受具と、（２）前記支柱の軸線方向で前記第１受具よりも前記基面に近い位置であって、且つ当該軸線周りで前記第１受具と異なる角度位置のところの、前記支柱の外周面上に設けられ、前記支柱の軸線に直角な受面を有する第２受具と、（３）前記足場板の一方の面である第１面側に設けられており該第１面に平行な被受面を有する第１連結具と、（４）前記足場板の前記第１面と反対側の面である第２面側に設けられており該第２面に平行な被受面を有する第２連結具とを有する。この建築用足場において、前記第１連結具は、前記第１受具の受面に前記第１連結具の被受面が載ることにより支持され、前記第２連結具は、前記第２受具の受面に前記第２連結具の被受面が載ることにより支持され、前記第１連結具が前記第１受具に支持された状態で、前記第１受具の受面と、前記足場板の第２面側の足を乗せる面との間の距離をＤ１とし、前記第２連結具が前記第２受具に支持された状態で、前記第２受具の受面と、前記足場板の第１面側の足を乗せる面との間の距離をＤ２としたとき、
Ｄ１＜Ｄ２
であることを特徴とする。
【００２９】
本考案に係る第３の建築用足場では、第１連結具の被受面が第１受具の受面に載った状態で、第１受具の受面と足場板の第２面側の足を乗せる面との間の距離をＤ１とし、第２連結具の被受面が第２受具の受面に載った状態で、第２受具の受面と足場板の第１面側の足を乗せる面との間の距離をＤ２としたとき、Ｄ１＜Ｄ２となるように構成されている。そのため、支柱の基面側の端面から足を乗せる面までの距離を、第１受具によって支持された足場板と第２受具によって支持された足場板との間で合わせることができる。その結果、互いに隣接する足場板同士の間で段差が形成されることを防止できる。
【００３０】
また、上記第３の建築用足場では、支柱の外周面上の異なる角度位置に第１受具と第２受具を設け、その第１受具に第１連結具を連結し、その第２受具に第２連結具を連結する構成としている。こうすれば、個々の第１受具及び第２受具には、１つの足場板のみが支持されることになるので、１つの受具に複数の足場板分の荷重が集中することがなくなる。また、第１受具と第２受具とを支柱の軸線方向において異なる位置に配設したので、支柱の高さ方向の１箇所に荷重が集中することを防止できる。それらの結果、受具それ自体を耐荷重性の高い頑丈な構造でない簡単な構造とすることができ、しかも、受具の支柱に対する固着構造も必要以上に頑丈にしなくて良い。こうして、支柱の構造を単純化して支柱を容易に製作できる。
【００３１】
また、第１連結具は、第１受具の受面に第１連結具の被受面が当接することにより支持され、第２連結具は、第２受具の受面に第２連結具の被受面が当接することにより支持される構成とした。これにより、足場板を支柱の軸線に対して平行の方向に、より確実に安定して支柱に支持できる。
【００３２】
次に、本考案に係る第３の建築用足場において、前記第１受具は前記支柱の軸線に沿って延びる第１貫通穴を有し、該第１貫通穴の形状は前記支柱の軸線方向で一定であり、前記第１連結具は前記被受面から突出する第１突起部を有し、該第１突起部は前記第１連結具が前記第１受具に支持された状態で前記第１貫通穴に入っていることが望ましい。また、前記第２受具は前記支柱の軸線に沿って延びる第２貫通穴を有し、該第２貫通穴の形状は前記支柱の軸線方向で一定であり、前記第２連結具は前記被受面から突出する第２突起部を有し、該第２突起部は前記第２連結具が前記第２受具に支持された状態で前記第２貫通穴に入っていることが望ましい。
【００３３】
第１突起部が第１貫通穴に入ることにより、第１受具によって第１連結具を支柱の軸線方向で受けることに加えて、支柱の軸線方向に直角な方向における足場板の移動を規制することができる。また、第２突起部が第２貫通穴に入ることにより、第２受具によって第２連結具を支柱の軸線方向で受けることに加えて、支柱の軸線方向に直角な方向における足場板の移動を規制することができる。
【００３４】
次に、本考案に係る各建築用足場において、前記第１受具に取り付けられた前記足場板の足を乗せる面と前記支柱の前記基面側の端面との間の距離をＤ３とし、前記第２受具に取り付けられた前記足場板の足を乗せる面と前記支柱の前記基面側の端面との間の距離をＤ４としたとき、
Ｄ３＝Ｄ４
であることが望ましい。ここで、Ｄ３＝Ｄ４は歩くのに支障のない程度に差（例えば、数ｍｍ〜数ｃｍの差）がある場合も含むものである。この考案態様によれば、第１受具に取り付けられた足場板の基面からの高さと第２受具に取り付けられた足場板の基面からの高さを等しくすることができる。そしてこれにより、第１受具に取り付けられた足場板と第２受具に取り付けられた足場板との間で段差が形成されることを防止できる。
【００３５】
次に、本考案に係る各建築用足場において、前記第１受具と前記第２受具は前記支柱の軸線周りで９０°の角度間隔で配置されていることが望ましい。こうすれば、第１受具に取り付けられた足場板と第２受具に取り付けられた足場板とを、支柱を中心として略直角方向に配置することができる。また、前記第１受具及び前記第２受具は、それぞれ、前記支柱の軸線周りで１８０°の対称位置に２個設けられていることが望ましい。こうすれば、支柱の周りに設けられた３個の受具にそれぞれ足場板を取り付けることができるので、足場板を平面的に見て互いに交差する方向に配置することができる。この足場板の配置としては、例えば、平面的に見てＬ字形状（例えば、図１に示す状態）、Ｔ字形状又は十字形状（いわゆる、十字クロス形状）になるように配置することができる。本構成の建築用足場によれば、複数の足場板を平面的に見て互いに交差する方向に配置する場合において、互いに隣接する足場板同士の間で段差が形成されることを容易に防止できる。
【００３６】
次に、本考案に係る各建築用足場において、前記足場板は、枠体と、該枠体の第１面側に設けられた網状の第１足踏み板と、前記枠体の前記第１面の反対側の面である第２面側に設けられた網状の第２足踏み板とを有し、前記足場板の第１面側の足を乗せる面は前記第１足踏み板のうちの前記枠体と反対側の面によって構成され、前記足場板の第２面側の足を乗せる面は前記第２足踏み板のうちの前記枠体と反対側の面によって構成されることが望ましい。こうすれば、第１面側と第２面側の両面に連結具を有する足場板を容易に形成することができる。また、枠体の第１面側に第１足踏み板を設け、枠体の第２面側に第２足踏み板を設けることにより、足場板の第１面側と第２面側の両面の足を乗せる面を平坦に形成できる。
【考案の効果】
【００３７】
本考案に係る建築用足場によれば、第１連結具が第１受具に連結した状態で、第１の穴の足場板側の開口の縁線と、足場板の第２面側の足を乗せる面との間の距離をＤ１とし、第２連結具が第２受具に連結した状態で、第２の穴の足場板側の開口の縁線と、足場板の第１面側の足を乗せる面との距離をＤ２としたとき、Ｄ１＜Ｄ２となるように構成したので、基面から足を乗せる面までの距離を、第１受具によって支持された足場板と第２受具によって支持された足場板との間で合わせることができる。その結果、互いに隣接する足場板同士の間で段差が形成されることを防止できる。
【００３８】
また、支柱の外周面上の異なる角度位置に第１受具と第２受具を設けたことにより、個々の第１受具及び第２受具には１つの足場板のみが支持されることになるので、１つの受具に複数の足場板分の荷重が集中することがなくなる。また、第１受具と第２受具とを支柱の軸線方向において異なる位置に配設したので、支柱の高さ方向の１箇所に荷重が集中することを防止できる。それらの結果、支柱の構造を単純化して支柱を容易に製作できる。
【考案を実施するための最良の形態】
【００３９】
（建築用足場の第１実施形態）
以下、本考案に係る建築用足場を一実施形態に基づいて図面を用いて説明する。なお、本考案がこの実施形態に限定されないことは、もちろんである。
図１は、本考案に係る建築用足場を建物の周囲に設置した場合の一実施形態を示している。図２は、図１の要部である支柱と足場板の連結部分を拡大して示している。この図２は、図１の矢印Ｚ１で示す部分において支柱と足場板が連結する前の状態を示す分解斜視図である。なお、図２は、図１の矢印Ｚ１で示す部分、すなわち、支柱と足場板との連結部分を紙面奥側から手前側に向かって見た状態を示している。
【００４０】
図１において、建築用足場１は、複数の支柱２と、支柱２に連結されて支持された足場板３とを有する。個々の支柱２は、基面としての地面１０上に、当該地面１０に対して垂直に立てて設けられている。ここでいう垂直とは、基面に対して厳密に９０°の角度に限られず、９０°から少し傾いた状態を含んでいる。
【００４１】
支柱２は、複数個が建築物の壁面１１ａ又は壁面１１ｂの外側に、その壁面１１ａ又は壁面１１ｂに沿って配設されている。具体的には、壁面１１ａ又は壁面１１ｂに近い側の支柱２ａと、壁面１１ａ又は壁面１１ｂから遠い側の支柱２ｂとが一対となって支柱対２０を構成し、その支柱対２０の複数が壁面１１ａ又は壁面１１ｂに沿って、所定の間隔をおいて配置されている。本実施形態では、複数の支柱対２０が足場板３の長手方向の長さと略等しい間隔をおいて配置されている。
【００４２】
壁面１１ａと壁面１１ｂとが交わる角部９においては、壁面１１ａに沿って設けられた複数の支柱２のうちの角部９に臨んで配置された支柱２ａ及び支柱２ｂと、壁面１１ｂに沿って設けられた複数の支柱２のうちの角部９に臨んで配置された支柱２ａ及び支柱２ｂと、２本の支柱２ｂ，２ｂの間であって、角部９に隣接した支柱２ａの対角に配置された支柱２ｃとが配置されている。本実施形態において、これらの支柱２ａ，２ｂ，２ｃは、全て同じ構成となっている。
【００４３】
個々の支柱２は、柱材１５と、該柱材１５の外周面上に設けられた第１受具４と、同じく柱材１５の外周面上に設けられた第２受具５と、ベース金具８とを有する。柱材１５は高さ調節機構８ａを介してベース金具８に取り付けられている。第１受具４及び第２受具５は、例えば溶接によって柱材１５に固着されている。柱材１５は、例えば中空のパイプである鋼管を用いて構成される。個々の鋼管の長さは、例えば２ｍ〜３ｍとすることができる。なお、柱材１５は、中空の鋼管に代えて中実の軸部材を用いて構成することもできる。また、図示は省略するが、柱材１５は、例えば連結ピン等といった連結部材を用いて軸線Ｘ０の方向、すなわち地面１０に対して垂直方向に連結することができる。複数の柱材１５を連結することにより、支柱２を軸線Ｘ０方向に延長することができる。こうすれば、高い足場を形成したり、複数段の足場を形成することができる。
【００４４】
ベース金具８は、個々の柱材１５の下端に高さ調節機構８ａを介して設けられている。このベース金具８は、その底面の面積が、例えば個々の支柱２が安定して立つことができる程度に広く形成されている。高さ調節機構８ａにより、柱材１５の高さ方向の位置、すなわち、支柱２の高さを所定範囲で調節することができる。
【００４５】
支柱２の上端部の外周面上（すなわち、柱材１５の外周面上）には、位置が高い受具である第１受具４及び位置が低い受具である第２受具５が設けられている。これらの第１受具４及び第２受具５は、図２に示すように、支柱２の軸線Ｘ０周りで１８０°の対称位置に２個ずつ設けられている。そして、第１受具４と第２受具５とは、支柱２の軸線Ｘ０周りで９０°の角度間隔で配置されている。すなわち、支柱２の外周には、第１受具４と第２受具５とが９０°の角度間隔で交互に配置されている。また、第１受具４と第２受具５とは、軸線Ｘ０方向における位置が異なっている。具体的には、第１受具４と第２受具５とが、図の上下方向に少しずれた位置に形成されている。本実施形態では、位置が高い方が第１受具４であり、低い方が第２受具５である。
【００４６】
個々の第１受具４には、支柱２の軸線方向に貫通する第１貫通穴６が第１の穴として設けられている。この第１貫通穴６は、後に説明する足場板３の小さい方の第１連結具１２が嵌合する穴である。また、第２受具５には、支柱２の軸線方向に貫通する第２貫通穴７が第２の穴として設けられている。この第２貫通穴７は、後に説明する足場板３の大きい方の第２連結具１３が嵌合する穴である。これらの第１貫通穴６及び第２貫通穴７に関しては後に詳しく説明する。
【００４７】
図１に戻って、足場板３は、上記複数の支柱２に連結されて支持されている。壁面１１ａ又は壁面１１ｂに沿って（すなわち、方向Ｘ及び方向Ｙに沿って）所定間隔に配置された一対の支柱２ａ，２ｂ同士の間には、長辺が長い長方形状の足場板３ａが設けられている。また、建築物の角部９に設けられた４本の支柱２ａ，２ｂ，２ｂ，２ｃの間には、長辺が短い長方形状又は正方形状の足場板３ｂが設けられている。以下、壁面１１ａ又は壁面１１ｂに沿って配設される足場板を符号３ａで示し、壁面１１ａと壁面１１ｂが交わる角部９に配設される足場板を符号３ｂで示すことにする。これらの足場板３ａと足場板３ｂとは、辺の長さが異なることを除いて、互いに同じ構成となっている。
【００４８】
図３は、足場板３の構成を分解状態で示す斜視図である。図１の足場板３ａ及び足場板３ｂは、図３に示すように、枠体２１と、当該枠体２１の一方の面である第１面２１ａ側に設けられた第１足踏み板２２と、枠体２１の第１面２１ａと反対側の面である第２面２１ｂ側に設けられた第２足踏み板２３とを有する。枠体２１は、中空のパイプ部材を、矢印Ｚ２方向から平面的に見てはしご状に組立てて形成されている。この枠体２１は足場板３の骨組となる部材である。従って、枠体２１を構成するパイプ部材には、足場板３としての強度を十分に確保できる材料、例えば鋼管等を用いることができる。なお、図３では、枠体２１を断面が四角形のパイプ部材を用いて構成しているが、これに代えて、断面が円形状、楕円形状等のパイプ部材を用いることもできる。また、枠体２１は、中空のパイプ部材に代えて中実（すなわち、中空ではなく内部が詰まった構造）の軸部材を用いて構成することもできる。
【００４９】
第１足踏み板２２は、長方形状の枠部材２２ａと、その枠部材２２ａの枠内に設けられた網板２２ｂによって構成されている。網板２２ｂの外周の全域は枠部材２２ａの内周面に接合されている。なお、網板２２ｂの外周の全域を枠部材２２ａに挟持することもできる。この第１足踏み板２２は、枠体２１の第１面（すなわち、図３の下側面）２１ａ側に固定される。この第１足踏み板２２の枠体２１と反対側の面は、図１に示す足場板３の第１面Ｓ１を形成している。
【００５０】
また、図３の第２足踏み板２３は、長方形状の枠部材２３ａと、その枠部材２３ａの枠内に設けられた網板２３ｂによって構成されている。網板２３ｂの外周の全域は枠部材２３ａの内周面に接合されている。なお、網板２３ｂの外周の全域を枠部材２３ａに挟持することもできる。この第２足踏み板２３は、枠体２１の第２面（すなわち、図３の上側面）２１ｂ側に固定される。この第２足踏み板２３の枠体２１と反対側の面は、図１に示す足場板３の第２面Ｓ２を形成している。
【００５１】
図３の第１足踏み板２２と第２足踏み板２３とを有する足場板３は、図１に示すように、第１足踏み板２２が上側（すなわち、第１面Ｓ１が上面）になるように配置される場合と、第２足踏み板２３が上側（すなわち、第２面Ｓ２が上面）になるように足場板３の表裏を反転させて配置される場合とがある。網板２２ｂの枠体２１と反対側の面Ｓ１及び網板２３ｂの枠体２１と反対側の面Ｓ２が、足を乗せる面である。
【００５２】
足場板３の第１面Ｓ１側の四隅、すなわち、図３の第１足踏み板２２の枠体２１と反対側の面Ｓ１側の枠部材２２ａ上の四隅のそれぞれには、小さい第１連結具１２が設けられている。第１連結具１２は、足場板３の第１面Ｓ１側に突出する突起である。本実施形態において、第１連結具１２は第１面Ｓ１側の枠部材２２ａの表面を底面とする三角形状に形成されている。一方、図１の足場板３の第２面Ｓ２側の四隅、すなわち、図３の第２足場板２３の枠体２１と反対側の面Ｓ２側の枠部材２３ａ上の四隅のそれぞれには、大きい第２連結具１３が設けられている。第２連結具１３は、足場板３の第２面Ｓ２側に突出する突起である。本実施形態において、第２連結具１３は第２面Ｓ２側の枠部材２３ａの表面を底面とする三角形状に形成されている。
【００５３】
以下、図２に示す第１受具４の第１貫通穴６、第２受具５の第２貫通穴７、第１連結具１２及び第２連結具１３について、図４（ａ）及び図４（ｂ）を用いて詳しく説明する。図４（ａ）は、図２のＺ３−Ｚ３線に従って、角部内側の支柱２ａと角部の足場板３ｂとの連結部分の断面構造を示しており、高い第１受具４に小さい第１連結具１２が連結した状態を示している。また、図４（ｂ）は、図２のＺ４−Ｚ４線に従って同じ支柱２ａと壁面１１ｂ側の足場板３ａとの連結部分の断面構造を示しており、低い第２受具５に大きい第２連結具１３が連結した状態を示している。
【００５４】
まず、第１連結具１２と第２連結具１３について説明する。第１連結具１２と第２連結具１３は、図４（ａ）に示すように、枠体２１を挟んで互いに反対方向（図の上下方向）にそれぞれ突出する突起である。第１連結具１２及び第２連結具１３の形状は、いずれも二等辺三角形であり、それらの形状は互いに相似の関係になっている。すなわち、第１連結具１２を第１貫通穴６に嵌合した状態で第１連結具１２の側面１２ａと支柱２の軸線Ｘ０とが成す傾斜角度α１と、図４（ｂ）において第２連結具１３を第２貫通穴７に嵌合した状態で第２連結具１３の側面１３ａと支柱２の軸線Ｘ０とが成す傾斜角度α２とは等しくなっている（α１＝α２）。また、第１連結具１２と第２連結具１３とは、その大きさが互いに異なっており、第１連結具１２は第２連結具１３に比べて小さく形成されている。具体的には、図４（ａ）において、第１連結具１２の底面（すなわち、足場板３の第１面Ｓ１）における幅をＷ１とし、第２連結具１３の底面（すなわち、足場板３の第２面Ｓ２）における幅をＷ２としたとき、
Ｗ１＜Ｗ２
の関係になっている。これに対応して第２連結具１３の高さの方が第１連結具１２の高さよりも高くなっている。
【００５５】
次に、第１連結具１２が嵌合する第１貫通穴６と、第２連結具１３が嵌合する第２貫通穴７について説明する。図４（ａ）において、第１貫通穴６は支柱２の軸線Ｘ０方向に貫通する穴であり、第１受具４に形成されている。第１貫通穴６は、第１受具４の足場板側の面（図４（ａ）の上側面）４ａにおける開口６ａの幅が大きく、足場板側から遠ざかる（図４（ａ）の下方に向かう）に従って徐々に幅が狭くなる形状を有している。つまり、第１貫通穴６の嵌合面としての側面６ｂが支柱２の軸線Ｘ０に対して角度β１だけ傾いている。本実施形態において、第１貫通穴６の側面６ｂの傾斜角度β１は、第１連結具１２の側面１２ａの角度α１と同じである（α１＝β１）。従って、第１連結具１２が第１貫通穴６に嵌合した状態で、第１貫通穴６の側面６ｂの全面が第１連結具１２の側面１２ａに接触することになる。
【００５６】
一方、図４（ｂ）において、第２貫通穴７は支柱２の軸線Ｘ０方向に貫通する穴であり、第２受具５に形成されている。第２貫通穴７は、第２受具５の足場板側の面（図４（ｂ）の上側面）５ａにおける開口７ａの幅が大きく、足場板側から遠ざかる（図４（ｂ）の下方に向かう）に従って徐々に幅が狭くなる形状を有している。つまり、第２貫通穴７の嵌合面である側面７ｂが支柱２の軸線Ｘ０に対して角度β２だけ傾いている。本実施形態において、第２貫通穴７の側面７ｂの傾斜角度β２は、第２連結具１３の側面１３ａの角度α２と同じである（α２＝β２）。従って、第２連結具１３が第２貫通穴７に嵌合した状態で、第２貫通穴７の側面７ｂの全面が第２連結具１３の側面１３ａに接触することになる。
【００５７】
また、第１貫通穴６と第２貫通穴７とは互いに同じ穴形状を有している。つまり、図４（ａ）における開口６ａの幅（すなわち、第１受具４の足場板側の縁線Ｐ１における第１貫通穴６の幅）Ｗ３と、図４（ｂ）における開口７ａの幅（すなわち、第２受具５の足場板側の縁線Ｐ２における第２貫通穴７の幅）Ｗ４とが等しくなっている（Ｗ３＝Ｗ４）。そして、第１貫通穴６の側面６ｂの傾斜角度β１と第２貫通穴７の側面７ｂの傾斜角度β２とが等しくなっている（β１＝β２）。
【００５８】
以下、上記構成の支柱２と足場板３を用いて、図１の足場１を組立てる方法を説明する。本実施形態の足場１では、建築物の壁面１１ａに沿った（すなわち、方向Ｘに沿った）足場は、図３の足場板３ａの一方の側の網板２３ｂの外側面Ｓ２が足を乗せる足踏み面となるように形成される。また、図１の壁面１１ｂに沿った（すなわち、方向Ｙに沿った）足場は、図３の足場板３ａの反対側の網板２２ｂの外側面Ｓ１が足踏み面となるように形成される。既述のように、図１の壁面１１ａ側の足場板３ａと壁面１１ｂ側の足場板３ａとは、同一構造及び同一形状の足場板であり、それらの表裏を反転して（すなわち、上下を反転して）用いられている。また、建築物の角部９に対応した足場は、長辺が比較的短い長方形状又は正方形状の足場板３ｂの網板２３ｂの外側面Ｓ２（図３参照）が足踏み面となるように形成される。
【００５９】
まず、図１の壁面の角部９に対応した足場を組立てるには、角部９直近の支柱２ａ、２本の外側支柱２ｂ及び支柱２ａの対角に配置された支柱２ｃのそれぞれの高い方の第１受具４に足場板３ｂの小さい方の第１連結具１２を連結する。具体的には、図４（ａ）に示すように、第１受具４の第１貫通穴６に第１連結具１２を差し込む。このとき、第１貫通穴６の嵌合面である側面６ｂの全域が第１連結具１２の側面１２ａに接触して、第１連結具１２が第１受具４に固定される。これにより、足場板３ｂの第１面Ｓ１が地面１０に対向し、その反対側の第２面のうちの網板２３ｂの外側面Ｓ２（図３参照）が足を乗せる面、すなわち足踏み面となる。なお、上記のように第１連結具１２が第１受具４に連結した状態において、第１受具４の第１貫通穴６の開口６ａの縁線Ｐ１から足場板３ｂの足踏み面（図３の網板２３ｂの外側面）Ｓ２までの距離をＤ１とする。
【００６０】
次に、図１の壁面１１ａに沿った足場（すなわち、方向Ｘに沿った足場）を組立てるには、角部９の足場板３ｂと同様に、内側支柱２ａ及び外側支柱２ｂの高い方の第１受具４に足場板３ａの小さい方の第１連結具１２を連結する。このときの第１受具４と第１連結具１２との連結状態は、図４（ａ）に示す足場板３ｂの場合と同じである。従って、図１に示すように、足場板３ａの第１面Ｓ１が地面１０に対向し、その反対側の第２面Ｓ２が足を乗せる面、すなわち足踏み面となる。また、この場合においても、第１受具４の第１貫通穴６の開口６ａの縁線Ｐ１から足場板３ａの足踏み面Ｓ２までの距離はＤ１である。
【００６１】
次に、図１の壁面１１ｂに沿った足場（すなわち、方向Ｙに沿った足場）を組立てるには、内側支柱２ａ及び外側支柱２ｂの低い方の第２受具５に足場板３ａの大きい方の第２連結具１３を連結する。具体的には、図４（ｂ）に示すように、第２受具５の第２貫通穴７に第２連結具１３を差し込む。このとき、第２貫通穴７の嵌合面である側面７ｂの全域が、第２連結具１３の両側面１３ａと接触して固定される。これにより、足場板３ａの第２面Ｓ２が地面１０に対向するので、その反対側の第１面Ｓ１が足踏み面となる。なお、上記のように第２連結具１３が第２受具５に連結した状態において、第２受具５の第２貫通穴７の開口７ａの縁線Ｐ２から足場板３ａの足踏み面（図３の網板２２ｂの外側面）Ｓ１までの距離をＤ２とする。
【００６２】
既述の通り、第１受具４と第２受具５とは、第１貫通穴６の開口６ａの幅Ｗ３と第２貫通穴７の開口７ａの幅Ｗ４が同じであって、第１貫通穴６の側面６ｂの傾斜角度β１と第２貫通穴７の側面７ｂの傾斜角度β２とが同じである。また、足場板３ａの第１連結具１２は、足場板３ａの第２連結具１３に比べて小さく（すなわち、第１連結具１２の底辺の幅Ｗ１が第２連結具１３の底辺の幅Ｗ２に比べて狭く）形成されている。従って、図１の足場１を組立てた状態で、図４（ａ）の縁線Ｐ１から足踏み面（図３の網板２３ｂの外側面）Ｓ２までの距離Ｄ１と、図４（ｂ）の縁線Ｐ２から足踏み面（図３の網板２２ｂの外側面）Ｓ１までの距離Ｄ２との関係は、
Ｄ１＜Ｄ２
となっている。また、第１受具４と第２受具５とは支柱２の軸線Ｘ０方向、すなわち、図１の足場１の高さ方向における位置が異なっており、地面１０からの位置が高い方が第１受具４であり、地面１０からの位置が低い方が第２受具５である。
【００６３】
以上のように、地面１０からの位置が高い第１受具４には小さい方の第１連結具１２が連結されるので図４（ａ）の距離Ｄ１が短くなる。一方、図１の地面１０からの位置が低い第２受具５には大きい方の第２連結具１３が連結されるので図４（ｂ）の距離Ｄ２が長くなる。このように、第１連結具１２の大きさを適宜に選定することにより図４（ａ）の距離Ｄ１を調節し、第２連結具１３の大きさを適宜に選定することにより図４（ｂ）の距離Ｄ２を調節することができる。
【００６４】
そして、このように距離Ｄ１と距離Ｄ２を調節することにより、各足場板３の高さを調節できる。図１において、壁面１１ａに沿って配設された足場板３ａと、角部９に配設された足場板３ｂとは、いずれも高い方の第１受具４に小さい方の第１連結具１２を連結することにより支柱２ａ，２ｂに取り付けられている。従って、壁面１１ａに沿って配設された足場板３ａの足踏み面（図３の網板２３ｂの外側面）Ｓ２と地面１０との間の距離（すなわち、足踏み面Ｓ２の地面１０からの高さ）Ｄ３と、角部９に配設された足場板３ｂの足踏み面Ｓ２と地面１０との間の距離Ｄ３は同じである。
【００６５】
一方、壁面１１ｂに沿って配設された足場板３ａは、低い方の第２受具５に大きい方の第２連結具１３を連結することにより支柱２ａ，２ｂに取り付けられている。壁面１１ｂに沿って配設されて第２受具５に取り付けられた足場板３ａの足踏み面（図３の網板２２ｂの外側面）Ｓ１と地面１０との間の距離（すなわち、足踏み面Ｓ１の地面１０からの高さ）をＤ４とする。本実施形態では、図４（ａ）の受具上の足場板距離Ｄ１と図４（ｂ）の距離Ｄ２とを調節することにより、図１の地面からの足場板距離Ｄ３と距離Ｄ４との関係を、
Ｄ３＝Ｄ４
とすることができる。なお、この場合のＤ３＝Ｄ４は歩行に支障にならない程度の差（例えば、数ｍｍ〜数ｃｍの差）を含むものである。
【００６６】
このように本実施形態の建築用足場では、第１受具４に取り付けられた足場板３と、第２受具に取り付けられた足場板３とを地面１０から同じ高さに配置できる。つまり、壁面１１ａに沿って配設された足場板３ａと、壁面１１ｂに沿って配設された足場板３ａと、角部９に配設された足場板３ｂとを地面１０から同じ高さに配置できる。その結果、壁面１１ａに沿って配設された足場板３ａと角部９に配設された足場板３ｂとの間、及び壁面１１ｂに沿って配設された足場板３ａと角部９に配設された足場板３ｂとの間において段差が発生することを防止できる。なお、第１受具４と第２受具５とは支柱２の軸線Ｘ０周りに９０°の角度間隔で配置されているので、壁面１１ａ側の足場板３ａと壁面１１ｂ側の足場板３ａとを互いに交差する方向に配置でき、それらの間の角部に足場板３ｂを配置できる。それらの結果、図１の壁面１１ａと壁面１１ｂとが交わる角部９に、足踏み面に段差がない足場１を容易に設けることができる。
【００６７】
また、足場板３には第１面Ｓ１側に小さな第１連結具１２を設けると共に第２面Ｓ２側に大きな第２連結具１３を設けたので、高い第１受具４に足場板３を連結する構成と低い第２受具５に足場板３を連結する構成とは、足場板３の表裏を反転させるという簡単な構成によって実現できる。すなわち、支柱２の軸線Ｘ０方向の位置（高さ位置）及び軸線Ｘ０周りの角度位置が異なる第１受具４と第２受具５に対して、共通の足場板３を用いて足場１を構成できるので、部品の種類を増やすことなく簡単な構成の足場を形成できる。
【００６８】
また、本実施形態の建築用足場では、図２に示すように、高い第１受具４及び低い第２受具５を支柱２の軸線Ｘ０周りで１８０°の対称位置に２個ずつ設け、支柱２の軸線Ｘ０周りで９０°の角度間隔で配置している。すなわち、支柱２の外周に、第１受具４と第２受具５とを９０°の角度間隔で交互に配置している。これにより、個々の第１受具４及び第２受具５には、１つの足場板３のみが支持されることになるので、１つの受具に複数の足場板分の荷重が集中することがなくなる。また、第１受具４と第２受具５とを支柱２の軸線Ｘ０方向において異なる位置に配設したので、支柱２の高さ方向の１箇所に荷重が集中することを防止できる。それらの結果、第１受具４自体及び第２受具５自体を耐荷重性の高い頑丈な構造でない簡単な構造とすることができ、しかも、第１受具４及び第２受具５の支柱２に対する固着構造も必要以上に頑丈にしなくて良い。こうして、支柱２の構造を単純化して支柱２を容易に製作できる。
【００６９】
（建築用足場の第２実施形態）
次に、本考案に係る建築用足場の第２の実施形態を説明する。本実施形態に係る建築用足場の全体的な構成は図１に示した第１実施形態の場合と同じである。また、建築用足場を構成する足場板の構成も、図３に示す斜視図と同じである。図５は、本実施形態に係る建築用足場１の要部を示している。図５（ａ）は、図２のＺ３−Ｚ３線に従って支柱２ａと角部９の足場板３ｂとの連結部分の断面構造を示しており、高い第１受具３４に小さい第１連結具１２が連結した状態を示している。また、図５（ｂ）は、図２のＺ４−Ｚ４線に従って支柱２ａと壁面１１ｂ側の足場板３ａとの連結部分の断面構造を示しており、低い第２受具３５に大きい第２連結具１３が連結した状態を示している。
【００７０】
本実施形態が第１実施形態と異なる点は次の点である。第１実施形態では、図４（ａ）に示すように、三角形状の第１連結具１２の側面１２ａと、第１受具４に設けられた第１貫通穴６の側面６ｂとが面状に接触することにより第１受具４に第１連結具１２が連結した。他方、図４（ｂ）に示すように、三角形状の第２連結具１３の側面１３ａと、第２受具５に設けられた第２貫通穴７の側面７ａとが面状に接触することにより第２受具５に第２連結具１３が連結した。これに対し、本実施形態では、第１貫通穴６と第２貫通穴７の形状に改変を加えている。以下、本実施形態の建築用足場の詳細を図５を用いて説明する。
【００７１】
図５（ａ）において、第１連結具１２及び反対側に在る第２連結具１３は、図４（ａ）に示した先の実施形態と同じ構成である。図５（ａ）において、第１受具３４に設けられた第１貫通穴３６は、支柱２の軸線Ｘ０に沿って第１受具３４を貫通し、その穴の幅Ｗ３が軸線Ｘ０方向で一定になっている。すなわち、第１貫通穴３６の軸線Ｘ０に対して直角方向の断面形状が、その第１貫通穴３６の全域で一定になっている。この第１貫通穴３６の開口３６ａは長方形状を有している。また、図５（ｂ）において、第２受具３５に設けられた第２貫通穴３７は、支柱２の軸線Ｘ０に沿って第２受具３５を貫通し、その穴の幅Ｗ４が軸線Ｘ０方向で一定になっている。すなわち、第２貫通穴３７の軸線Ｘ０に対して直角方向の断面形状が、その第２貫通穴３７の全域で一定になっている。この第２貫通穴３７の開口３７ａは長方形状を有している。
【００７２】
図５（ａ）において、支柱２ａと足場板３ｂとの連結部分では、第１貫通穴３６の足場板側の周縁角部（すなわち、第１貫通穴３６の開口３６ａの角部）Ｐ１において第１受具３４が第１連結具１２を支持しており、他の部分の側面３６ｂは第１連結具１２に接触していない。すなわち、第１受具３４と第１連結具１２とは、開口３６ａの足場板側の縁線Ｐ１において互いに線状に接触している。一方、図５（ｂ）において、支柱２ａと足場板３ａとの連結部分では、第２貫通穴３７の足場板側の周縁角部（すなわち、第２貫通穴３７の開口３７ａの角部）Ｐ２において第２受具３５が第２連結具１３を支持しており、他の部分の側面３７ｂは第２連結具１３に接触していない。すなわち、第２受具３５と第２連結具１３とは、足場板側の縁線Ｐ２において互いに線状に接触している。
【００７３】
図５（ａ）において、第１貫通穴３６の開口３６ａの幅Ｗ３は、図４（ａ）の実施形態の第１貫通穴６の開口６ａの幅Ｗ３と同じである。また、図５（ｂ）において、第２貫通穴３７の開口３７ａの幅Ｗ４は、図４（ｂ）の第２貫通穴７の開口７ａの幅Ｗ４と同じである。従って、図５（ａ）における第１受具３４の第１貫通穴３６の縁線Ｐ１から足場板３ｂの足踏み面（図３の網板２３ｂの外側面）Ｓ２までの距離Ｄ１は、図４（ａ）における距離Ｄ１と同じである。また、図５（ｂ）における第２受具３５の第２貫通穴３７の縁線Ｐ２から足場板３ａの足踏み面（図３の網板２２ｂの外側面）Ｓ１までの距離Ｄ２は図４（ｂ）における距離Ｄ２と同じである。すなわち、Ｄ１＜Ｄ２の関係になっている。
【００７４】
本実施形態においても、地面１０からの位置が高い第１受具３４には小さい方の第１連結具１２が連結されるので図５（ａ）の距離Ｄ１が短くなる。一方、図１の地面１０からの位置が低い第２受具３５には大きい方の第２連結具１３が連結されるので図５（ｂ）の距離Ｄ２が長くなる。このように、第１連結具１２の大きさを適宜に選定することにより図５（ａ）の距離Ｄ１を調節し、第２連結具１３の大きさを適宜に選定することにより図５（ｂ）の距離Ｄ２を調節することができる。
【００７５】
そして、このように距離Ｄ１と距離Ｄ２を調節することにより、図１の各足場板３の高さを調節できる。具体的には、図１において、壁面１１ａに沿って配設された足場板３ａと、角部９に配設された足場板３ｂとは、いずれも高い方の第１受具３４に小さい方の第１連結具１２を連結することにより支柱２ａ，２ｂに取り付けられている。従って、壁面１１ａに沿って配設された足場板３ａの足踏み面（図３の網板２３ｂの外側面）Ｓ２と地面１０との間の距離（すなわち、足踏み面Ｓ２の地面１０からの高さ）Ｄ３と、角部９に配設された足場板３ｂの足踏み面Ｓ２と地面１０との間の距離Ｄ３は同じである。
【００７６】
一方、壁面１１ｂに沿って配設された足場板３ａは、低い方の第２受具３５に大きい方の第２連結具１３を連結することにより支柱２ａ，２ｂに取り付けられている。ここで、壁面１１ｂに沿って配設されて第２受具３５に取り付けられた足場板３ａの足踏み面（図３の網板２２ｂの外側面）Ｓ１と地面１０との間の距離（すなわち、足踏み面Ｓ１の地面１０からの高さ）をＤ４とする。本実施形態では、図５（ａ）の受具上の足場板距離Ｄ１と図５（ｂ）の距離Ｄ２とを調節することにより、図１の地面からの足場板距離Ｄ３と距離Ｄ４とを互いに等しい距離、すなわち、
Ｄ３＝Ｄ４
とすることができる。なお、この場合に距離（すなわち、高さ）が等しいというのは、歩行に支障にならない程度の差（例えば、数ｍｍ〜数ｃｍの差）を含むものである。
【００７７】
上記構成の建築用足場によれば、高い第１受具３４に取り付けられた足場板３と、低い第２受具３５に取り付けられた足場板３とを地面１０から同じ高さに配置できる。つまり、壁面１１ａに沿って配設された足場板３ａと、壁面１１ｂに沿って配設された足場板３ａと、角部９に配設された足場板３ｂとを地面１０から同じ高さに配置できる。その結果、壁面１１ａに沿って配設された足場板３ａと角部９に配設された足場板３ｂとの間、及び壁面１１ｂに沿って配設された足場板３ａと角部９に配設された足場板３ｂとの間において段差が発生することを防止できる。なお、第１受具３４と第２受具３５とは支柱２の軸線Ｘ０周りに９０°の角度間隔で配置されているので、壁面１１ａ側の足場板３ａと壁面１１ｂ側の足場板３ａとを互いに交差する方向に配置でき、それらの間の角部に足場板３ｂを配置できる。それらの結果、図１の壁面１１ａと壁面１１ｂとが交わる角部９に、足踏み面に段差がない足場１を容易に設けることができる。
【００７８】
また、本実施形態では、第１貫通穴３６の側面３６ｂ及び第２貫通穴３７の側面３７ｂを支柱２の軸線Ｘ０と平行に形成した。この第１貫通穴３６及び第２貫通穴３７は、第１連結具１２及び第２連結具１３の三角形状に合わせて形成した図４（ａ）の第１貫通穴６又は図４（ｂ）の第２貫通穴７に比べて容易に作製できる。また、第１貫通穴３６及び第２貫通穴３７に嵌合させる連結具は、三角形状に限られず、四角形状、半円形状、棒形状等、種々の形状のものを用いることができる。
【００７９】
（建築用足場の第３実施形態）
次に、本考案に係る建築用足場の第３の実施形態を説明する。本実施形態に係る建築用足場の全体的な構成は図１に示した第１実施形態の場合と同じである。また、建築用足場を構成する足場板の構成は、第１連結具及び第２連結具の形状を除いて、図３に示す斜視図と同じである。図６は、本実施形態に係る建築用足場１の要部を示している。図６（ａ）は、図２のＺ３−Ｚ３線に従って支柱２ａと角部９の足場板３ｂとの連結部分の断面構造を示しており、高い第１受具３４に小さい第１連結具４２が連結した状態を示している。また、図６（ｂ）は、図２のＺ４−Ｚ４線に従って支柱２ａと壁面１１ｂ側の足場板３ａとの連結部分の断面構造を示しており、低い第２受具３５に大きい第２連結具４３が連結した状態を示している。
【００８０】
図５に示す第２実施形態では、第１連結具１２及び第２連結具１３を三角形状とし、その三角形の大きさ、すなわち、三角形の高さ又は三角形の幅を変えることにより距離Ｄ１と距離Ｄ２を調整する構成としている。これに対し本実施形態では、第１連結具と第２連結具の形状に改変を加えている。以下、本実施形態の建築用足場の詳細を図６を用いて説明する。
【００８１】
図６（ａ）において、第１受具３４は、図５（ａ）に示した実施形態と同じ構成である。なお、図５（ａ）においても明らかであるが、図６（ａ）の第１受具３４の上側の面３４ａは、支柱２の軸線Ｘ０に対して直角な面となっている。また、図６（ｂ）において、第２受具３５は、図５（ｂ）に示した実施形態と同じ構成である。なお、図５（ｂ）においても明らかであるが、図６（ｂ）の第２受具３５の上側の面３５ａは、支柱２の軸線Ｘ０に対して直角な面となっている。
【００８２】
図６（ａ）において、第１連結具４２は、底面が長方形状で、図の左右方向の断面が三角形状で、図の紙面垂直方向の断面が長方形状である突起部４２ａと、当該突起部４２ａの底面に隣接する被受面４２ｂとを有する。突起部４２ａは、第１貫通穴３６に差し込まれる部分であり、支柱２ａの軸線Ｘ０に直角な方向への足場板３ｂの移動を規制する部材である。この突起部４２ａは、その底面の幅が第１貫通穴３６の開口３６ａの幅Ｗ３と同じ幅に形成されている。なお、足場板３ｂは、支柱２ａの軸線Ｘ０に直角な方向において使用に支障のない程度の遊びがあってもよいので、突起部４２ａの底面の幅を第１貫通穴３６の開口３６ａの幅Ｗ３より狭く形成することもできる。被受面４２ｂは、足場板３ｂの第１面Ｓ１に平行な面である。この被受面４２ｂは、第１連結具４２の突起部４２ａが第１貫通穴３６に入った状態で、第１受具３４の足場板側（図の上側）に設けられた受面３４ａに当接する面であり、支柱２ａの軸線Ｘ０に沿った方向で足場板３ｂを支持する面である。
【００８３】
次に、図６（ｂ）において、第２連結具４３は、図６（ａ）の突起部４２ａと同様な突起部４３ａと、当該突起部４３ａの底面に隣接する被受面４３ｂとを有する。突起部４３ａは、第１貫通穴３７に差し込まれる部分であり、支柱２ａの軸線Ｘ０に直角な方向への足場板３ａの移動を規制する部材である。この突起部４３ａは、その底面の幅が第２貫通穴３７の開口３７ａの幅Ｗ４と同じ幅に形成されている。なお、足場板３ａは、支柱２ａの軸線Ｘ０に直角な方向において実用上支障のない程度の遊びがあってもよいので、突起部４３ａの底面の幅を第２貫通穴３７の開口３７ａの幅Ｗ４より狭く形成することもできる。被受面４３ｂは、足場板３ａの第２面Ｓ２に平行な面である。この被受面４３ｂは、第２連結具４３が第２貫通穴３７に入った状態で、第２受具３５の足場板側（図の上側）に設けられた受面３５ａに当接する面であり、支柱２ａの軸線Ｘ０に沿った方向で足場板３ａを支持する面である。
【００８４】
上記の第１連結具４２と第２連結具４３とは、対応する足場板の表面から自身の受面までの距離が異なっている。具体的には、図６（ａ）において足場板３ｂの第１面Ｓ１から第１連結具４２の被受面４２ｂまでの高さをＤ５とし、足場板３ａの第２面Ｓ２から第２連結具４３の被受面４３ｂまでの高さをＤ６としたとき、
Ｄ５＜Ｄ６
となっている。すなわち、第２連結具４３の被受面４３ｂの方が第１連結具４２の被受面４２ｂよりも高くなっている。こうすることにより、図６（ｂ）の第２受具３５の縁線Ｐ２から足場板３ａの足踏み面（図３の網板２２ｂの外側面）Ｓ１までの距離Ｄ２を、第１受具３４の縁線Ｐ１から足場板３ｂの足踏み面（図３の網板２３ｂの外側面）Ｓ２までの距離Ｄ１よりも大きくすることができる。すなわち、Ｄ１＜Ｄ２とすることができる。
【００８５】
本実施形態においては、図１に示すように、地面１０からの位置が高い第１受具３４には図６（ａ）の被受面４２ｂの位置が低い第１連結具４２が連結するので、距離Ｄ１が短くなる。一方、図１の地面１０からの位置が低い第２受具３５には、図６（ｂ）の被受面４３ｂの位置が高い第２連結具４３が連結されるので、距離Ｄ２が長くなる。この距離Ｄ１と距離Ｄ２は、上記の足場板３の第１面Ｓ１から被受面４２ｂまでの距離Ｄ５又は足場板３の第２面Ｓ２から被受面４３ｂまでの距離Ｄ６を変えることにより調節できる。
【００８６】
そして、このように距離Ｄ１と距離Ｄ２を調節することにより、足場板３の高さを調節できる。図１において、壁面１１ａに沿って配設された足場板３ａと、角部９に配設された足場板３ｂとは、いずれも高い方の第１受具３４に低い方の第１連結具４２を連結することにより支柱２ａ，２ｂに取り付けられている。従って、壁面１１ａに沿って配設された足場板３ａの足踏み面（図３の網板２３ｂの外側面）Ｓ２と地面１０との間の距離（すなわち、足踏み面Ｓ２の地面１０からの高さ）Ｄ３と、角部９に配設された足場板３ｂの足踏み面Ｓ２と地面１０との間の距離Ｄ３は同じである。
【００８７】
一方、壁面１１ｂに沿って配設された足場板３ａは、低い方の第２受具３５に高い方の第２連結具４３を連結することにより支柱２ａ，２ｂに取り付けられている。ここで、壁面１１ｂに沿って配設されて第２受具３５に取り付けられた足場板３ａの足踏み面（図３の網板２２ｂの外側面）Ｓ１と地面１０との間の距離（すなわち、足踏み面Ｓ１の地面１０からの高さ）をＤ４とする。本実施形態では、図６（ａ）の受具上の足場板距離Ｄ１と図６（ｂ）の距離Ｄ２とを調節することにより、図１の地面からの足場板距離Ｄ３と距離Ｄ４との関係を、
Ｄ３＝Ｄ４
とすることができる。すなわち、互いに連続する足場板３ａ及び３ｂの地面１０からの高さを同じにすることができる。なお、この場合に高さが同じというのは、歩行に支障にならない程度の差（例えば、数ｍｍ〜数ｃｍの差）を含むものである。
【００８８】
上記構成の建築用足場によれば、高い第１受具３４に取り付けられた足場板３と、低い第２受具３５に取り付けられた足場板３とを地面１０から同じ高さに配置できる。つまり、壁面１１ａに沿って配設された足場板３ａと、壁面１１ｂに沿って配設された足場板３ａと、角部９に配設された足場板３ｂとを地面１０から同じ高さに配置できる。その結果、壁面１１ａに沿って配設された足場板３ａと角部９に配設された足場板３ｂとの間、及び壁面１１ｂに沿って配設された足場板３ａと角部９に配設された足場板３ｂとの間において段差が発生することを防止できる。なお、第１受具３４と第２受具３５とは支柱２の軸線Ｘ０周りに９０°の角度間隔で配置されているので、壁面１１ａ側の足場板３ａと壁面１１ｂ側の足場板３ａとを互いに交差する方向に配置でき、それらの間の角部に足場板３ｂを配置できる。それらの結果、図１の壁面１１ａと壁面１１ｂとが交わる角部９に、足踏み面に段差がない足場１を容易に設けることができる。
【００８９】
また、本実施形態では、図６（ａ）において、第１受具３４の受面３４ａに第１連結具４２の被受面４２ｂが当接し、図６（ｂ）において第２受具３５の受面３５ａに第２連結具４３の被受面４３ｂが当接する構成とした。受面３４ａ及び受面３５ａは支柱２の軸線Ｘ０に対して直角な面であり、受面３４ａ及び受面３５ａは地面１０（図１参照）に平行な面である。また、被受面４２ｂ及び被受面４３ｂは、足場板３ａ，３ｂの足を乗せる面である足踏み面に平行な面である。従って、図６（ａ）において第１受具３４の受面３４ａに第１連結具４２の被受面４２ｂが当接し、図６（ｂ）において第２受具３５の受面３５ａに第２連結具４３の被受面４３ｂが当接する本実施形態の足場では、足場板３を地面１０と平行の方向に安定して支持できる。
【００９０】
また、本実施形態では、図６（ａ）において第１連結具４２の突起部４２ａが第１貫通穴３６に差し込まれることにより、第１受具３４の受面３４ａによって第１連結具４２の被受面４２ｂを支柱２の軸線Ｘ０方向で支持することに加えて、支柱２の軸線Ｘ０に直角な方向への足場板３の移動を規制することができる。また、図６（ｂ）において第２連結具４３の突起部４３ａが第２貫通穴３７に差し込まれることにより、第２受具３５の受面３５ａによって第２連結具４３の被受面４３ｂを支柱２の軸線Ｘ０方向で支持することに加えて、支柱２の軸線Ｘ０に直角な方向への足場板３の移動を規制することができる。
【００９１】
（その他の実施形態）
以上、好ましい実施形態を挙げて本考案を説明したが、本考案はその実施形態に限定されるものでなく、請求の範囲に記載した考案の範囲内で種々に改変できる。
例えば、上記の各実施形態では、図１において、足場１を建築物の外側に、外壁１１ａ及び１１ｂに沿って設置する構成を示している。しかしながら、足場１は、建築物の内側（すなわち、室内）に設置することもできる。このような足場１を用いて建築物の内装工事を行うことができる。
【００９２】
また、上記の各実施形態において、足場１では、建築物の２つの壁面１１ａ，１１ｂに沿って延びる足場板３が、平面的に見て互いに交差する方向に配置されている。そしてそれらの足場板３は、平面的に見てＬ字形状になるように配置されている。しかしながら、足場板３の交差の形態としてはＬ字形状に限られない。例えば、平面的に見てＴ字形状になるように配置することもできるし、十字形状になるように配置することもできる。
【図面の簡単な説明】
【００９３】
【図１】本考案に係る建築用足場の一実施形態を示す斜視図である。
【図２】図１の主要部を拡大して示す斜視図である。
【図３】足場板の構成を分解状態で示す斜視図である。
【図４】支柱と足場板の連結部分を示す図であり、（ａ）は第１連結具と第１受具の連結状態を示しており、（ｂ）は第２連結具と第２受具の連結状態を示している。
【図５】本考案に係る建築用足場の他の実施形態の要部を示す図であり、（ａ）は第１連結具と第１受具の連結状態を示しており、（ｂ）は第２連結具と第２受具の連結状態を示している。
【図６】本考案に係る建築用足場のさらに他の実施形態の要部を示す図であり、（ａ）は第１連結具と第１受具の連結状態を示しており、（ｂ）は第２連結具と第２受具の連結状態を示している。
【符号の説明】
【００９４】
１．足場、  ２，２ａ，２ｂ，２ｃ．支柱、  ３，３ａ，３ｂ．足場板、  
４，３４．第１受具、  ３４ａ．第１受具の受面、  ５，３５．第２受具、
３５ａ．第２受具の受面、  ６，３６．第１貫通穴（第１の穴）、  
６ａ，３６ａ．第１貫通穴の開口、  ６ｂ，３６ｂ．第１貫通穴の側面（嵌合面）、  
７，３７．第２貫通穴（第２の穴）、  ７ａ，３７ａ．第２貫通穴の開口、  
７ｂ，３７ｂ．第２貫通穴の側面（嵌合面）、  ８．ベース金具、  ８ａ．調節機構、
９．建築物の角部、  １０．地面（基面）、  １１ａ，１１ｂ．建築物の壁面、  
１２，４２．第１連結具、  １２ａ．第１連結具の側面、  
４２ａ．第１連結具の突起部、  ４２ｂ．第１連結具の被受面、  
１３，４３．第２連結具、  １３ａ．第２連結具の側面、  
４３ａ．第２連結具の突起部、  ４３ｂ．第２連結具の被受面、  
１５．柱材、  ２０．支柱対、  ２１．枠体、  ２１ａ．枠体の第１面、  
２１ｂ．枠体の第２面、  ２２．第１足踏み板、  ２２ａ．枠部材、  
２３．第２足踏み板、  ２３ａ．枠部材、  Ｓ１．足場板の第１面、  
Ｓ２．足場板の第２面、  Ｗ１．第１連結具の底面の幅、  
Ｗ２．第２連結具の底面の幅、  Ｗ３．第１開口の幅、  Ｗ４．第２開口の幅、  
Ｘ０．支柱の軸線
【図１】
0003133919.tif 000003
【図２】
0003133919.tif 000004
【図３】
0003133919.tif 000005
【図４】
0003133919.tif 000006
【図５】
0003133919.tif 000007
【図６】
0003133919.tif 000008